(57)【要約】  【課題】最下段の引出し貯蔵室の内容積と奥行きを最大化すると共に、圧縮機を配置するための庫内最上段奥部のでっぱりを軽減し、庫内の照明効果を向上させる。  【解決手段】第一の天面部１１１と、冷蔵庫背面側で前記第一の天面部より低い位置に設けた第二の天面部１１２とを有して前記冷蔵庫本体の天面部に段差部を形成し、前記第二の天面部１１２に圧縮機１３０を備え、前記段差部と相対する庫内側に形成された庫内凸部の下端面よりも上側に庫内照明装置１１４を備え、前記庫内凸部前面から第二の天面部にわたり、庫内照明装置を覆う様にランプカバー１１５を設けている。これによって、１ヶ所の照明で庫内凸部による陰影を解消するように照明の光を庫内に拡散することができるため、収納性を損なうことなく庫内の照明効果を向上させることができると共に、庫内の照明装置を減らしコストダウンを図ることができる。【選択図】図１
2008106990.tif 000002
【特許請求の範囲】
【請求項１】
第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の前壁面に庫内照明装置を備え、前記庫内凸部前壁面から第二の天面部にわたり、庫内照明装置を覆うランプカバーを備えた冷蔵庫。
【請求項２】
第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部に相対する庫内に照明装置を備え、前記庫内凸部前壁面から第二の天面部にわたり、庫内照明装置を覆うランプカバーを備えた冷蔵庫。
【請求項３】
第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部より低い庫内背面壁に庫内照明装置を備え、前記庫内凸部前壁面から第二の天面部より低い庫内背面壁にわたり、庫内照明装置を覆うランプカバーを備えた冷蔵庫。
【請求項４】
ランプカバーと前記ランプカバー背面壁との空間距離を１０ｍｍ以上確保したことを特徴とする請求項１から３のいずれか一項に記載の冷蔵庫。
【請求項５】
前記ランプカバー背壁側に光の反射板を設けたことを特徴とする請求項１から４のいずれか一項に記載の冷蔵庫。
【請求項６】
前記ランプカバー背面側に印刷で銀蒸着材料を塗膜したことを特徴とする請求項１から４のいずれか一項に記載の冷蔵庫。
【請求項７】
前記ランプカバーの第二の天面部位置に穴を設けたことを特徴とする請求項１から６のいずれか一項に記載の冷蔵庫。
【請求項８】
前記ランプカバーを第二の天面部位置で分割したことを特徴とする請求項１から７のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図８は、特許文献１に記載された従来の冷蔵庫の構成を示すものである。
【０００５】
図８に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引出しタイプの冷凍室引出し扉６と野菜室引出し扉７を設けてある。冷蔵室２の庫内には複数の収納棚８が設けられており、冷凍室３と野菜室４には上面開口形状の収納容器９が取り付けてある。この収納容器９は図示しない前後方向のレールに、ローラで前後方向へ移動可能に支持されている。
【０００６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【０００７】
冷凍サイクルの構成機器である圧縮機１６と凝縮器１７は機械室ファン１８と共に凹部１０内に収まるように配設され、凹部カバー１５にて覆われている。また、凹部カバー１５の上板１３と背板１４には、放熱のために複数の通風孔１９が設けられている。
【０００８】
また、冷凍サイクルの構成機器である蒸発器２０は冷凍室２の後背部に冷却ファン２１と共に配設されており、最下部の貯蔵室である野菜室４は奥行き深く構成してある。
【０００９】
これにより、断熱箱体１の背面下部に圧縮機１６や凝縮器１７を収納するものと比較して、野菜室４の内容積を大きく、深く構成できる。
【特許文献１】特開２００１−９９５５２号公報
【発明の開示】
【発明が解決しようとする課題】
【００１０】
しかしながら、上記従来の構成では、圧縮機や凝縮器や冷媒配管や制御基板を収納する凹部が大きいので冷蔵室庫内の天面奥部がでっぱり、内容積が減少するとともに、冷蔵室のスッキリ感を阻害し、手狭な印象を与える。
【００１１】
また、奥の食品を取り出す際、このでっぱりが影となり見にくくなるため、庫内に照明効果を持たせるためには、前記凹部と相対する庫内側の凸部と庫内背面部の２ヶ所に照明を設ける必要性があった。これは従来の１ヶ所照明に比べコストアップにつながっていた。
【００１２】
本発明は、上記従来の課題を解決するもので、１ヶ所の照明で庫内凸部による陰影を解消するように、照明効果を向上させる冷蔵庫を提供することを目的とする。
【課題を解決するための手段】
【００１３】
上記従来の課題を解決するために、本発明の冷蔵庫は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の前壁面に庫内照明装置を備え、前記庫内凸部前壁面から第二の天面部にわたり、庫内照明装置を覆うランプカバーを備えたものである。
【００１４】
また、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部に相対する庫内に照明装置を備え、前記庫内凸部前壁面から第二の天面部にわたり、庫内照明装置を覆うランプカバーを備えたものである。
【００１５】
また、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部より低い庫内背面壁に庫内照明装置を備え、前記庫内凸部前壁面から第二の天面部より低い庫内背面壁にわたり、庫内照明装置を覆うランプカバーを備えたものである。
【００１６】
これによって、庫内側に形成された庫内凸部の照明装置において、１ヶ所の照明で庫内凸部による陰影を解消するように照明の光を庫内に拡散することができる。
【発明の効果】
【００１７】
本発明の冷蔵庫は、庫内凸部前面と第二の天面部を一体物のランプカバーでつなぎ、１ヶ所の照明の光をランプカバー内に拡散させ、庫内凸部による陰影を解消するように照明の光を庫内に拡散することで、収納性を損なうことなく庫内の照明効果を向上させることができると共に、庫内の照明装置を減らしコストダウンを図ることができる。
【発明を実施するための最良の形態】
【００１８】
請求項１に記載の発明は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の前壁面に庫内照明装置を備え、前記庫内凸部前壁面から第二の天面部にわたり、庫内照明装置を覆うランプカバーを備えたものであり、庫内凸部の前壁面の１ヶ所の照明で庫内凸部による陰影を解消するように照明の光を庫内に拡散することができるため、収納性を損なうことなく庫内の照明効果を向上させることができると共に、庫内の照明装置を減らしコストダウンを図ることができる。
【００１９】
請求項２に記載の発明は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部に相対する庫内に照明装置を備え、前記庫内凸部前壁面から第二の天面部にわたり、庫内照明装置を覆うランプカバーを備えたものであり、庫内凸部の第二の天面部に相対する庫内の１ヶ所の照明で庫内凸部による陰影を解消するように照明の光を庫内に拡散することができるため、収納性を損なうことなく庫内の照明効果を向上させることができると共に、庫内の照明装置を減らしコストダウンを図ることができる。
【００２０】
請求項３に記載の発明は、第一の天面部と、冷蔵庫背面側で前記第一の天面部より低い位置に設けた第二の天面部とを有して前記冷蔵庫本体の天面部に段差部を形成し、前記第二の天面部に圧縮機を備え、前記段差部と相対する庫内側に形成された庫内凸部の第二の天面部より低い庫内背面壁に庫内照明装置を備え、前記庫内凸部前壁面から第二の天面部より低い庫内背面壁にわたり、庫内照明装置を覆うランプカバーを備えたものであり、庫内凸部の第二の天面部より低い庫内背面壁の１ヶ所の照明で庫内凸部による陰影を解消するように照明の光を庫内に拡散することができるため、収納性を損なうことなく庫内の照明効果を向上させることができると共に、庫内の照明装置を減らしコストダウンを図ることができる。
【００２１】
請求項４に記載の発明は、請求項１から３のいずれか一項に記載の発明において、ランプカバーと前記ランプカバー背面壁との空間距離を１０ｍｍ以上確保したものであり、ランプカバー内での光の拡散効果を充分に得ることができるため、庫内の照明効果を向上させることができる。
【００２２】
請求項５に記載の発明は、請求項１から４のいずれか一項に記載の発明において、前記ランプカバー背壁側に光の反射板を設けたものであり、ランプカバー内での光の拡散効果を増加することができるため、庫内の照明効果を向上させることができる。
【００２３】
請求項６に記載の発明は、請求項１から４のいずれか一項に記載の発明において、前記ランプカバー背面側に印刷で銀蒸着材料を塗膜したものであり、ランプカバー内での光の拡散効果を増加することができるため、庫内の照明効果を向上させることができる。
【００２４】
請求項７に記載の発明は、請求項１から６のいずれか一項に記載の発明において、前記ランプカバーの第二の天面部位置に穴を設けたものであり、第二天面部より下方向に向かう光の拡散力を増加させることができるため、庫内の照明効果を向上させることができる。
【００２５】
請求項８に記載の発明は、請求項１から７のいずれか一項に記載の発明において、前記ランプカバーを第二の天面部位置で分割したものであり、ランプカバーによる光の拡散効果を減少させることなく、また利用者の視界に入ることなく、ランプカバーを分割することができるため、ランプカバーの成型サイクルをアップし、コストダウンを図ることができる。
【００２６】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２７】
（実施の形態１）
図１は本発明の実施の形態１における冷蔵庫の概略断面図、図２は同実施の形態の冷蔵庫の概略正面図、図３から図７は同実施の形態の冷蔵庫の要部概略断面図である。
【００２８】
図１と図２において、例えば硬質発泡ウレタンなどの断熱材で周囲と断熱して構成されている断熱箱体１００は複数の断熱区画に区分されており、上から回転扉タイプの冷蔵室１０１、並列に配置された引出しタイプの製氷室１０２と切替室１０３、その下方に引出しタイプの野菜室１０４、最下段に引出しタイプの冷凍室１０５の構成となっている。各断熱区画にはそれぞれ断熱扉がガスケットを介して密閉するよう設けられている。
【００２９】
冷蔵室回転扉１０６には光透過可能な材料で構成された扉ポケット１０７が収納スペースとして設けられており、冷蔵室庫内には複数の光透過可能な材料で構成された収納棚１０８と最下部には引出し可能な貯蔵ケース１０９が設けてある。また、冷蔵室回転扉１０６の開閉を検知する扉開閉検知手段１１０が設けられており、冷蔵室回転扉１０６が開いているか閉まっているかを検出する。扉開閉検知手段１１０は扉が閉まると動作する庫内に設けたリミットスイッチであり、もしくは、扉閉止時に扉に設けた磁石と近接するホール素子を用いた非接触スイッチであってもよい。
【００３０】
冷蔵室１０１は冷蔵保存のために凍らない温度を下限に通常１〜５℃で設定されている。また、貯蔵ケース１０９は肉魚などの保鮮性向上のため比較的低めの温度、たとえば−３〜１℃で設定される。野菜室１０４は冷蔵室１０１と同等もしくは若干高い温度設定の２℃〜７℃とすることが多い。なお、野菜室１０４は低温にするほど葉野菜の鮮度を長期間維持することが可能である。
【００３１】
製氷室１０２や冷凍室１０５は冷凍保存のために通常−２２〜−１８℃で設定されているが、冷凍保存状態の向上のために、たとえば−３０や−２５℃の低温で設定されることもある。製氷室１０２は氷の保存が主体のために−１２℃以下の比較的高い冷凍温度設定で省エネ運転を図ることもある。
【００３２】
切替室１０３は冷凍温度から野菜温度まで多段階で切替可能であり、使用者が使用可能なコントロールパネル（図示せず）で温度設定できる。
【００３３】
断熱箱体１００の天部は第一の天面部１１１と、背面側で第一の天面部１１１より低い位置に設けた第二の天面部１１２とで構成されている。したがって、冷蔵室１０１の庫内天面奥部は第二の天面部１１２の庫内凸部１１３が生じている。
【００３４】
庫内凸部１１３は庫内最上段収納棚１０８ａよりも概ね上方に位置してあり、庫内凸部前壁面と隣接する庫内角部１１３ａ、１１３ｂを含む領域には照明装置１１４が設けられている。具体的には、庫内凸部１１３の前壁面には庫内照明装置１１４が中央部に設けてある。収納棚１０８は照明の光が透過するように、たとえばガラスやプラスチックなどの材料で透明に作られている。
【００３５】
庫内照明装置１１４は、ランプカバー１１５が着脱可能に設けられ、内部にランプ１１６を着脱可能に設けたソケット１１７が庫内背壁面に取り付けられている。ランプカバー１１５は、前方と下方に光が拡散するように庫内凸部前壁面から第二の天面部にわたり、庫内照明装置を覆う様に設けられている。ランプ１１６はＡＣタイプでもＤＣタイプでもよく、ＬＥＤであってもよい。ＤＣタイプやＬＥＤでは発熱量が小さいので周辺部材の耐熱設計が容易であり、照明装置空間も小さくてすむ。さらにＬＥＤでは寿命が長いので、ランプ交換の手間がなくなる。また、ミシン球のようなＡＣタイプであれば、ランプが低コストとなる。なお、簡易に着脱可能なカバーとしたのでランプ１１６の交換が容易にできる。
【００３６】
また、断熱箱体１００の冷蔵室１０１背面には基板収納部１１８が独立した窪み部で構成されている。
【００３７】
基板収納部１１８には制御基板１１９が収納されており、基板カバー１２０によってフォームシールして密閉されている。
【００３８】
冷凍サイクルは圧縮機１３０と凝縮器（図示せず）と減圧器であるキャピラリ（図示せず）と水分除去を行うドライヤ（図示せず）と蒸発器１３２とを環状に接続して構成されている。凝縮器（図示せず）と蒸発器１３２は機械室ファン（図示せず）と冷却ファン１３３とで強制対流熱交換させている。
【００３９】
冷凍サイクルの構成部品である圧縮機１３０は第二の天面部１１２の上方空間である機械室１３４に備えられており、凝縮器（図示せず）はワイヤータイプやフィンコイルタイプやスパイラルフィンタイプなどの薄型構成で第一の天面１１１上部にダクトを形成するカバーとともに配置してもよいし、断熱箱体１００底面に設けてもよい。また、強制対流方式のものに加えて、断熱箱体１００の外周鋼板を利用して自然放熱するための配管や、各室断熱扉体間の仕切りに配設して防滴防止を行うための配管を組み合わせてもよい。
【００４０】
また、機械室１３４には天面部と背面部をビスなどで取外し可能に機械室カバー１３５が一部品もしくは二部品構成で設けられている。
【００４１】
また、冷凍サイクルの構成機器である蒸発器１３２は冷却ファン１３３と共に、中段に位置する野菜室１０４と最下段の冷凍室１０５の背面部に設けられている。
【００４２】
以上のように構成された冷蔵庫について、以下その動作、作用を説明する。
【００４３】
まず、冷凍サイクルの動作について説明する。庫内の設定された温度に応じて制御基板１１９からの信号により冷凍サイクルが動作して冷却運転が行われる。まず圧縮機１３０の動作により吐出された高温高圧の冷媒は、凝縮器（図示せず）にて放熱して凝縮液化し、キャピラリ（図示せず）に至る。その後、キャピラリ（図示せず）では減圧されて低温低圧の液冷媒となって蒸発器１３２に至る。
【００４４】
冷却ファン１３３の動作により、庫内の空気と熱交換されて蒸発器１３２内の冷媒は蒸発気化する。低温の冷気をダンパ（図示せず）やダクト構成などで分配することで各室の冷却を行う。また複数の蒸発器を用いる場合は流路制御手段（図示せず）により必要な蒸発器へ冷媒が供給される。蒸発器１３２を出た冷媒は吸入配管（図示せず）を経て圧縮機１３０へと吸い込まれる。
【００４５】
庫内各室の温度が設定温度以下となったら、圧縮機１３０の運転は停止される。
【００４６】
また、使用者が食品などの出し入れのために冷蔵室回転扉１０６が開けられると、扉開閉検知手段１１０が扉の開放を検出し、制御手段により庫内照明装置１１４が点灯される。冷蔵室回転扉１０６が閉まれば消灯される。点灯した光は、庫内凸部前壁面より前方向だけでなく、下方向、さらには第二の天面部にも拡散し、庫内凸部より下の庫内領域に導光が可能である。
【００４７】
庫内照明装置１１４を最上段収納棚１０８ａの背面である庫内凸部前壁面に配置し、庫内凸部前壁面から第二の天面部にわたり、ランプカバー１１５を備えることで、冷蔵室１０１の天面断熱壁が陰になってキッチンなどの室内照明が届きにくい最上部を照らすとともに、庫内凸部１１３だけ背面から前方にシフトした位置に照明を配置するので、手元を明るく照らすことができる。また、収納棚１０８も透明としたので下方への光をさえぎることがない。
【００４８】
また天井面に照明を配置した場合に、最上段収納棚１０８ａに置かれた収納物によって光りがさえぎられる状況を回避し、２段目収納棚１０８ｂ上の空間およびそれ以下の空間にもランプカバー１１５の下方から照明可能であり、最上段で光がさえぎられることがない。さらに照明装置１１４は背面より前方にシフトして配置されているので、２段目以下の収納棚にとっては背面からでなく、上方から照明することとなり、手元に近い照明で見やすく、使い勝手の向上面で極めて有効である。
【００４９】
すなわち、冷蔵室１０１内に対する照明配置において、庫内凸部１１３の下端面より下部のほぼ直方体状の庫内領域に対しての照明は、庫内凸部前壁面にのみランプがあるにもかかわらず、あたかも上面からの照明が与えられる構成となり、日常的に使用頻度の高いこの領域の照明を行うことができ、冷蔵庫本体の上部に少なくとも圧縮機を含めた冷却ユニットを配置する所謂トップユニット型冷蔵庫にあっても、庫内凸部１１３の存在によるデメリットと見られがちな一面を逆利用して、実用面で明るく効果的な庫内照明が実現でき、冷蔵室１０１の使い勝手を、むしろ従来にも増して向上することができるものである。
【００５０】
また、ランプカバー１１５の下面と第二の天面部とのキョリ１２１を１０ｍｍ以上確保することにより、ランプカバー１１５内での光の拡散効果を増加することができるため、庫内凸部１１３の下端面より下部のほぼ直方体の庫内領域に対しての照明効果を上げることができる。
【００５１】
また、図３に示すように、ランプカバー１２２とランプカバー１２３で分割すると、ランプカバー下端面と透明の最上段収納棚１０８ａをほぼ面一に揃えることとなり、外観デザイン的にもすっきりとした統一感をもたせたまま、かつ照明効果を落とさぬまま、ランプカバーの成型サイクルを上げることができる。
【００５２】
また、図４に示すように、庫内凸部１１３の前壁面から第二の天面部１１２にわたり、アルミ板などを加工した光の反射板１２４を設けることにより、さらにランプカバー内での光の拡散効果を増加することができるため、庫内の照明効果を向上させることができる。
【００５３】
また、光の反射板１２４と同様の効果は、庫内凸部１１３の前壁面に銀蒸着材料を塗膜することによっても可能である。
【００５４】
また、図５に示すように、ランプカバー１１５の第二天面部位置に穴１２５を設けることにより、外観デザイン的にも変更することなく、第二天面部より下方向に向かう光の拡散力を増加させることができるため、庫内の照明効果を向上させることができる。
【００５５】
なお、上述の実施の形態では、庫内凸部１１３前壁面にランプ１７とソケット１８を取り付けた冷蔵庫について述べたが、図６に示すように、第二の天面部に庫内照明装置を備え、前記庫内凸部前壁面から第二の天面部にわたり、庫内照明装置を覆う様にランプカバーを備えた場合や、図７に示すように、第二の天面部より低い庫内背面壁に庫内照明装置を備え、前記庫内凸部前壁面から第二の天面部より低い庫内背面壁にわたり、庫内照明装置を覆う様にランプカバーを備えた場合も同様の効果を得ることができる。
【産業上の利用可能性】
【００５６】
本発明の冷蔵庫は、ランプカバーによる照明効果を増加することができるので、業務用の大型冷蔵庫および冷凍庫やショーケースといった冷凍機器にも適用できる。
【図面の簡単な説明】
【００５７】
【図１】本発明の実施の形態１における冷蔵庫の概略断面図
【図２】同実施の形態における冷蔵庫の概略正面図
【図３】同実施の形態における冷蔵庫の要部概略断面図
【図４】同実施の形態における冷蔵庫の要部概略断面図
【図５】同実施の形態における冷蔵庫の要部概略断面図
【図６】同実施の形態における冷蔵庫の要部概略断面図
【図７】同実施の形態における冷蔵庫の要部概略断面図
【図８】従来の冷蔵庫の概略断面図
【符号の説明】
【００５８】
１００  断熱箱体
１０１  冷蔵室
１１１  第一の天面部
１１２  第二の天面部
１１３  庫内凸部
１１４  庫内照明装置
１１５，１２２，１２３  ランプカバー
１２１  ランプカバーと第二の天面部とのキョリ
１２４  反射板
１２５  穴
１３０  圧縮機
【図１】
2008106990.tif 000003
【図２】
2008106990.tif 000004
【図３】
2008106990.tif 000005
【図４】
2008106990.tif 000006
【図５】
2008106990.tif 000007
【図６】
2008106990.tif 000008
【図７】
2008106990.tif 000009
【図８】
2008106990.tif 000010